(57)【特許請求の範囲】
【請求項１】
自動販売機前扉の少なくとも一部を覆う態様で取り付けられるパネル本体に、
複数の商品見本表示部と、該商品見本表示部毎の飲料選択ボタンと、を備えた飲料選択パネルを設け、
前記飲料選択パネルは、前記パネル本体から前方に開閉自在に取り付けられていることを特徴とする自動販売機の接客パネル。
【請求項２】
前記飲料選択パネルを前方に開いた態様で、前記商品見本表示部にフレーバーカードを着脱可能としたことを特徴とする請求項１に記載の自動販売機の接客パネル。
【発明の詳細な説明】
【技術分野】
【０００１】
本発明は、自動販売機の前扉に取り付けられる接客パネルに関する。
【背景技術】
【０００２】
従来、缶入り飲料やペットボトル入り飲料を販売する飲料自動販売機、また、機器筐体内で調理したカップ入り飲料を販売するカップ式自動販売機が知られている。例えば、図６に示すカップ式自動販売機２０は、コーヒーやソフトドリンクなどの各種飲料をカップで販売する自動販売機である。機器筐体２１（図２参照）に開閉可能に取り付けられた前扉２２には、前面パネル２３にフレーバーカード（販売商品表示カード）２５を装着する複数の商品見本表示部２４、商品見本表示部２４毎に設けられた複数の飲料選択ボタン２６、硬貨投入口２７、返却レバー２８、紙幣挿入口３０、表示部３１、原料増減部３２、扉ロック３３、取出扉３５で開閉されるカップ取出口３４が配設され、その右下には釣銭返却口２９が配設されている。
【０００３】
前面パネル２３の商品見本表示部２４に装着されるフレーバーカード２５は、カップ式自動販売機２０の利用者に、販売している商品を表示して購買意欲を喚起するため、販売している飲料をイメージして作成したカードであり、利用者が見易いようにできるだけ大型のものが採用されている。また、ホット系、アイス系の飲料判別を容易に行えるように、ホット飲料用カードは暖色系の配色、アイス飲料用カードは寒色系の配色でデザインされている。
【０００４】
このように、フレーバーカード２５を暖色系、寒色系の目立ちやすい配色でデザインし、自動販売機の利用者に飲料の魅力を伝えて購買意欲を喚起するため、前扉２２に占める商品見本表示部２４（フレーバーカード２５）の割合を大きくして設けている。さらに、この商品見本表示部２４の配置や大きさ、また、商品見本表示部２４に装着されるフレーバーカード２５の大きさや配色により、利用者が受ける自動販売機の印象が大きく変化する。
【０００５】
そして、利用者が硬貨投入口２７に硬貨を投入すると、投入した硬貨金額で購入可能な飲料選択ボタン２６が点灯してフレーバーカード２５で示される飲料を購入可能であることが表示される。原料増減を行える飲料を購入する場合、原料増減部３２で自分の好みに応じて操作した後、所望の飲料選択ボタン２６を押す。例えば、飲料選択ボタン２６によりコーヒーを選択した場合、機器筐体２１内部に設けられたコーヒー液抽出機（図示せず）で抽出されたコーヒー液に砂糖、クリームが添加された飲料入りカップがカップ取出口３４に出来上がり、取出扉３５を開けて取り出すことができるようになる（例えば、特許文献１参照）。
【先行技術文献】
【特許文献】
【０００６】
【特許文献１】特開２０００−１２２５４２号公報
【発明の概要】
【発明が解決しようとする課題】
【０００７】
ところで、上記のような自動販売機では、４〜５年毎にリニューアルという作業を施すようにしているのが一般的である。すなわち、４〜５年を経過した自動販売機にあっては、設置環境の影響により、利用者に対面する前扉が変色したり、時間の経過に伴って前扉のデザインが陳腐化するのは否めず、商品の売り上げが減少するようになる。このため、リニューアルによって前扉の美麗化、あるいは既存のデザインを新デザインに変え、売り上げの回復を図るようにしている。また、こうしたリニューアル作業は、実質的に自動販売機の寿命を延ばすことにもなり、地球環境改善に大きく貢献することができるようになる。
【０００８】
しかしながら、このような自動販売機は、複数の商品見本表示部や飲料選択ボタン、硬貨投入口、返却レバー、釣銭返却口、紙幣挿入口、表示部、原料増減部、扉ロック、カップ取出口等が前扉に一体に取付けられているため、デザインを一新するには、既存の前扉を新デザインの前扉と交換する必要がある。その場合、リニューアルする自動販売機を設置場所から設備の整った専用の工場に一旦引き上げ、交換作業を終了した後に元の設置場所に再設置する必要があり、作業が煩雑になるばかりか、往復の輸送費が嵩むといったコスト上の問題を招来することになり、不経済であり、かつ交換作業も大変であった。
【０００９】
本発明は、以上のような課題を解決するためになされたものであり、自動販売機を、容易に、かつ安価に新デザインとすることができる自動販売機の接客パネルを提供することを目的とする。
【課題を解決するための手段】
【００１０】
上記の目的を達成するために、本発明の請求項１に係る自動販売機の接客パネルは、自動販売機前扉の少なくとも一部を覆う態様で取り付けられるパネル本体に、
複数の商品見本表示部と、該商品見本表示部毎の飲料選択ボタンと、を備えた飲料選択パネルを設け、
前記飲料選択パネルは、前記パネル本体から前方に開閉自在に取り付けられていることを特徴とする。
【００１１】
また、本発明の請求項２に係る自動販売機の接客パネルは、上述した請求項１において、前記飲料選択パネルを前方に開いた態様で、前記商品見本表示部にフレーバーカードを着脱可能としたことを特徴とする。
【発明の効果】
【００１４】
請求項１の発明によれば、自動販売機前扉の少なくとも一部を覆う態様で取り付けられるパネル本体に、複数の商品見本表示部と、該商品見本表示部毎の飲料選択ボタンと、を備えた飲料選択パネルを設け、前記飲料選択パネルは、前記パネル本体から前方に開閉自在に取り付けられていることにより、販売している商品を表示して自動販売機の利用者に飲料の魅力を伝えて購買意欲を喚起するための商品見本表示部（フレーバーカード）を自由に配設することができ、容易にフレーバーカード交換が可能となるので、商品見本表示部（フレーバーカード）の配置や大きさ、配色を変えて自動販売機の印象を大きく変化させることができるので、自動販売機を、容易に、かつ安価に新デザインとすることができる自動販売機の接客パネルを提供することが可能となる。
【００１５】
また、請求項２の発明によれば、前記飲料選択パネルを前方に開いた態様で、前記商品見本表示部にフレーバーカードを着脱可能としたことにより、さらに容易に飲料選択パネルのフレーバーカード交換が可能となる。
【図面の簡単な説明】
【００１８】
【図１】本発明に係る自動販売機の接客パネルの正面概要図。
【図２】図１の接客パネルを前扉に取り付ける構造を示す概要図。
【図３】図１の接客パネルを自動販売機に取り付けた概要図であり、（ａ）は正面図、（ｂ）は側面図。
【図４】図１の接客パネルの飲料選択パネルを前方に開く構造を示す概要図であり、（ａ）は飲料選択パネル固定部の外し方、（ｂ）は前方に開いた図。
【図５】図４の飲料選択パネルの商品見本表示部にフレーバーカードの装着を示す図。
【図６】カップ式自動販売機の正面概要図。
【発明を実施するための形態】
【００１９】
以下、図面を参照しながら、本発明に係る自動販売機の接客パネルの好適な実施の形態を詳細に説明する。なお、カップ式自動販売機２０の構成に関しては同一符号を用いる。また、この実施の形態によりこの発明が限定されるものではない。図１は本発明に係る自動販売機の接客パネルの正面概要図、図２は図１の接客パネルを前扉に取り付ける構造を示す概要図、図３は図１の接客パネルを自動販売機に取り付けた概要図であり、（ａ）は正面図、（ｂ）は側面図、図４は図１の接客パネルの飲料選択パネルを前方に開く構造を示す概要図であり、（ａ）は飲料選択パネル固定部の外し方、（ｂ）は前方に開いた図、図５は図４の飲料選択パネルの商品見本表示部にフレーバーカードの装着を示す図である。
【００２０】
ここで例示する自動販売機の接客パネル１は、図２に示しているように、上部取付具１２および側部取付具１３を用い、カップ式自動販売機２０の機器筐体２１に開閉可能に取り付けられた前扉２２の少なくとも一部を覆う態様で取り付けられるパネル本体２を有している。パネル本体２には、飲料選択パネル３がパネル本体開口２ａを閉塞する態様で取り付けられる。
【００２１】
飲料選択パネル３には、フレーバーカード（販売商品表示カード）５を装着する複数の商品見本表示部４、商品見本表示部４毎に設けられた複数の飲料選択ボタン６、原料増減部７（増量ボタン７ａ、減量ボタン７ｂ）が配設されている。さらにパネル本体２には、飲料の調理ステップを表示する飲料調理表示部８が設けられ、カップ式自動販売機１の前扉２２に配設される硬貨投入口２７、返却レバー２８、紙幣挿入口３０、表示部３１に対応する位置に開口部９、扉ロック３３に対応する位置に開口部１０、取出扉３５で開閉されるカップ取出口３４に対応する位置に開口部１１を設けている。
【００２２】
なお、ここでは、自動販売機前扉に配設される操作部として、硬貨投入口２７、返却レバー２８、紙幣挿入口３０、表示部３１、扉ロック３３、カップ取出口３４を示して説明しているが、前扉２２を覆うパネル本体２の形状により自動販売機前扉に配設される操作部に該当する部品が変わることはいうまでもない。例えば、パネル本体２が前扉２２全体を覆う形状であれば、釣銭返却口２９に対応する位置に開口部を設けることになり、釣銭返却口２９も自動販売機前扉に配設される操作部に該当することになる。また、パネル本体２がカップ取出口３４を覆わない形状であれば、カップ取出口３４は自動販売機前扉に配設される操作部に該当しなくなる。さらに、飲料選択ボタン６、原料増減部７（増量ボタン７ａ、減量ボタン７ｂ）の少なくとも一部のボタンに対応する位置に開口部を設けた場合、この飲料選択ボタン６、原料増減部７（増量ボタン７ａ、減量ボタン７ｂ）が自動販売機前扉に配設される操作部に該当することになる。
【００２３】
そして、図３に示すように、接客パネル１を前扉２２に取り付けたとき、開口部９からは硬貨投入口２７、返却レバー２８、紙幣挿入口３０、表示部３１が操作および視認可能となり、開口部１０からは扉ロック３３、開口部１１からはカップ取出口３４の取出扉３５を開閉操作可能としている。また、釣銭返却口２９はパネル本体２で覆われないようにパネル本体２の形状が決められ、釣銭返却口２９に返却された釣銭を取り出し可能としている。これにより、其々の操作部を接客パネル１に別途設けることなく、カップ式自動販売機２０の前扉２２に配設されている操作部を使用してカップ式自動販売機２０の操作が可能となるので、自動販売機を、容易に、かつ安価に新デザインとすることができる自動販売機の接客パネル１を提供することができる。
【００２４】
飲料選択パネル３は、図４（ａ）に示しているように、選択パネル固定具３ａを開閉具３ｃで回転させることで、図４（ｂ）に示すように、飲料選択パネル３の下端に設けられているヒンジ機構（図示せず）を中心として飲料選択パネル３がパネル本体２から前方に開かれ、飲料選択パネル３の上部に設けられているワイヤー３ｂで開放角度が規制される（例えば、開放角度３０度）。
【００２５】
そして、飲料選択パネル３をパネル本体２から前方（例えば、開放角度３０度）に開くことにより、図５に示しているように、フレーバーカード５を商品見本表示部４のカード上端装着部４ａおよびカード下端装着部４ｂに挿入することで装着でき、フレーバーカード５の着脱を容易に行うことを可能としている。
【００２６】
このように、カップ式自動販売機２０の機器筐体２１に開閉可能に取り付けられた前扉２２の少なくとも一部を覆う態様で取り付けられるパネル本体２に、複数の商品見本表示部４と、該商品見本表示部４毎の飲料選択ボタン６と、を設けたことにより、販売している商品を表示して自動販売機の利用者に飲料の魅力を伝えて購買意欲を喚起するための商品見本表示部４（フレーバーカード５）を自由に配設することができるようになるので、商品見本表示部２４（フレーバーカード２５）の配置や大きさ、配色を変えて自動販売機の印象を大きく変化させることができるので、自動販売機を、容易に、かつ安価に新デザインとすることができる自動販売機の接客パネル１を提供することが可能となる。
【００２７】
なお、フレーバーカード５を装着する商品見本表示部４、商品見本表示部４毎に設けた飲料選択ボタン６を有する飲料選択パネル３をパネル本体２のパネル本体開口２ａを閉塞するように設けた実施例で説明しているが、フレーバーカード５を装着する商品見本表示部４、商品見本表示部４毎に設けた飲料選択ボタン６をパネル本体２に一体で設けるようにしてもよい。
【００２８】
また、飲料選択パネル３は、下端を支持端としてパネル本体２から前方に開かれるものであったが、本発明においては、例えば左端にヒンジ機構を設けて右側が自由端として開かれるようにしてもよいし、単純に取り外せるようにしても良い。また上端を支持端として下端を自由端としてパネル本体２から前方に開かれるようにしても良い。更に飲料選択パネル３の開放角度を、例えば９０°のように自由に設定できるようにしてもよい。
【符号の説明】
【００２９】
１      自動販売機の接客パネル
２      パネル本体
３      飲料選択パネル
４      自商品見本表示部
５      フレーバーカード
６      飲料選択ボタン
７      原料増減部
８      飲料調理表示部
９      開口部
１０      開口部
１１      開口部
１２      上部取付具
１３      側部取付具
２０      カップ式自動販売機
２２      前扉
２３      前面パネル
２４      商品見本表示部
２５      フレーバーカード
２６      飲料選択ボタン
２７      硬貨投入口
２８      返却レバー
２９      釣銭返却口
３０      紙幣挿入口
３１      表示部
３３      扉ロック
３４      カップ取出口
３５      取出扉
【図１】
0005521603.tif 000002
【図３】
0005521603.tif 000003
【図４】
0005521603.tif 000004
【図５】
0005521603.tif 000005
【図６】
0005521603.tif 000006
【図２】
0005521603.tif 000007